(57)【特許請求の範囲】
【請求項１】
第１の筐体と第２の筐体とを結合部材を介して結合し、前記第１の筐体と前記第２の筐体とを重ねた閉状態から相対的に移動させて重なりを開放した開状態へと変化可能な携帯機器であって、
前記第１の筐体または前記第２の筐体の一方を、前記第１の筐体と前記第２の筐体とが、前記閉状態とは異なる位置であり、且つ前記開状態への移動方向とは異なる方向に移動可能に支持する支持部を、前記結合部材に備え、
前記第１の筐体と前記第２の筐体とが相対的に、前記開状態への移動方向とは異なる方向として、前記閉状態において前記第１の筐体と前記第２の筐体とが互いに対向する面と直行する方向へと移動することを特徴とする携帯機器。
【請求項２】
前記結合部材は、前記第１の筐体と前記第２の筐体とを相対的に回転可能に結合するヒンジ部であることを特徴とする請求項１に記載の携帯機器。
【請求項３】
前記支持部に、前記閉状態において前記第１の筐体と前記第２の筐体とが互いに対向する面と直交する方向に長く延び、前記ヒンジ部のヒンジ軸を摺動可能に係合する孔が形成されていることを特徴とする請求項２に記載の携帯機器。
【請求項４】
前記結合部材は、前記第１の筐体と前記第２の筐体とを相対的にスライド可能に結合するスライド機構であることを特徴とする請求項１に記載の携帯機器。
【請求項５】
前記支持部に、前記閉状態において前記第１の筐体と前記第２の筐体とが互いに対向する面と直交する方向に、前記結合部材の一部を摺動可能に係合するガイドが形成されていることを特徴とする請求項４に記載の携帯機器。
【請求項６】
前記結合部材に、前記第１の筐体と前記第２の筐体とを互いに引き付ける方向に付勢する付勢部材を備えることを特徴とする請求項１から５のいずれか一項に記載の携帯機器。
【請求項７】
前記結合部材に、前記第１の筐体と前記第２の筐体とを互いに引き付ける方向に付勢する付勢部材を備え、
前記付勢部材は、前記孔の内壁と前記ヒンジ軸との間に取り付けられるコイルバネであることを特徴とする請求項３に記載の携帯機器。
【請求項８】
前記結合部材に、前記第１の筐体と前記第２の筐体とを互いに引き付ける方向に付勢する付勢部材を備え、
前記付勢部材は、前記支持部と前記ガイドに係合される前記結合部材の一部とに掛けられるねじりバネであることを特徴とする請求項５に記載の携帯機器。
【請求項９】
前記閉状態と、前記開状態への移動方向とは異なる方向に移動した状態とを切り換える操作部材を備えることを特徴とする請求項１から８のいずれか一項に記載の携帯機器。
【発明の詳細な説明】
【技術分野】
【０００１】
本発明は、二つの筐体を重ねた状態から他の形態へと変化可能な携帯機器に関する。
【背景技術】
【０００２】
特許文献１には、二つの筐体を互いの端部でヒンジによって結合し、折り畳まれた状態から相対的に回転させて縦方向に開放させることができる携帯電話機が開示されている。
【特許文献１】特開２０００−１０１６９７号公報
【発明の開示】
【発明が解決しようとする課題】
【０００３】
ところで、最近では携帯電話機が薄型化されてきているため、カバンなどに入れていると、着信があった場合などに携帯電話機を直ぐに探すことができず、なかなか取り出せないことがあった。また、薄型化されていることで、筐体と筐体の間に指を滑り込ませにくく、咄嗟に開くことができないことがあった。
【０００４】
そこで、図９に示すように、片方の筐体だけをポケットに入れておくことで、取り出し易く、且つ開き易くした持ち運び方が見られるようになったが、これでは安定感がなく、振動などによりポケットからずれ落ちてしまうことがあった。すなわち、携帯電話機を取り出し易く、かつ開き易くしようとすれば、ずれ落ちの問題が生じ、ずれ落ちの問題をなくすには携帯電話機をポケットの奥深くやカバンの中にしまわねばならず、これらの問題を同時に解消することは困難であった。
【０００５】
本発明の課題は、第１の筐体または第２の筐体の一方を、閉状態とは異なる位置であり、且つ開状態への移動方向とは異なる方向に移動できるようにすることにより、携帯機器の取り扱いを容易にすることである。
【課題を解決するための手段】
【０００６】
以上の課題を解決するため、請求項１に記載の発明は、第１の筐体と第２の筐体とを結合部材を介して結合し、前記第１の筐体と前記第２の筐体とを重ねた閉状態から相対的に移動させて重なりを開放した開状態へと変化可能な携帯機器であって、前記第１の筐体または前記第２の筐体の一方を、前記第１の筐体と前記第２の筐体とが、前記閉状態とは異なる位置であり、且つ前記開状態への移動方向とは異なる方向に移動可能に支持する支持部を、前記結合部材に備え、前記第１の筐体と前記第２の筐体とが相対的に、前記開状態への移動方向とは異なる方向として、前記閉状態において前記第１の筐体と前記第２の筐体とが互いに対向する面と直行する方向へと移動することを特徴とする。
【０００８】
請求項２に記載の発明は、請求項１に記載の携帯機器であって、前記結合部材は、前記第１の筐体と前記第２の筐体とを相対的に回転可能に結合するヒンジ部であることを特徴とする。
【０００９】
請求項３に記載の発明は、請求項２に記載の携帯機器であって、前記支持部に、前記閉状態において前記第１の筐体と前記第２の筐体とが互いに対向する面と直交する方向に長く延び、前記ヒンジ部のヒンジ軸を摺動可能に係合する孔が形成されていることを特徴とする。
【００１０】
請求項４に記載の発明は、請求項１に記載の携帯機器であって、前記結合部材は、前記第１の筐体と前記第２の筐体とを相対的にスライド可能に結合するスライド機構であることを特徴とする。
【００１１】
請求項５に記載の発明は、請求項４に記載の携帯機器であって、前記支持部に、前記閉状態において前記第１の筐体と前記第２の筐体とが互いに対向する面と直交する方向に、前記結合部材の一部を摺動可能に係合するガイドが形成されていることを特徴とする。
【００１２】
請求項６に記載の発明は、請求項１から５のいずれか一項に記載の携帯機器であって、前記結合部材に、前記第１の筐体と前記第２の筐体とを互いに引き付ける方向に付勢する付勢部材を備えることを特徴とする。
【００１３】
請求項７に記載の発明は、請求項３に記載の携帯機器であって、前記結合部材に、前記第１の筐体と前記第２の筐体とを互いに引き付ける方向に付勢する付勢部材を備え、前記付勢部材は、前記孔の内壁と前記ヒンジ軸との間に取り付けられるコイルバネであることを特徴とする。
【００１４】
請求項８に記載の発明は、請求項５に記載の携帯機器であって、前記結合部材に、前記第１の筐体と前記第２の筐体とを互いに引き付ける方向に付勢する付勢部材を備え、前記付勢部材は、前記支持部と前記ガイドに係合される前記結合部材の一部とに掛けられるねじりバネであることを特徴とする。
【００１５】
請求項９に記載の発明は、請求項１から８のいずれか一項に記載の携帯機器であって、前記閉状態と、前記開状態への移動方向とは異なる方向に移動した状態とを切り換える操作部材を備えることを特徴とする。
【発明の効果】
【００１６】
本発明によれば、第１の筐体または第２の筐体の一方を、閉状態とは異なる位置であり、且つ開状態への移動方向とは異なる方向に移動することができるため、携帯電話機の取り扱いが容易となる。
【発明を実施するための最良の形態】
【００１７】
以下、図を参照して本発明を実施するための最良の形態を詳細に説明する。
（実施形態１）
図１は、本発明を適用した携帯機器の一実施形態の構成として、折り畳み式の携帯電話機を示したもので、１は表示部筐体、２は操作部筐体、３はヒンジ部である。第１の筐体である表示部筐体１は図示しない表示部を裏面に備え、第２の筐体である操作部筐体２は操作キーなどの操作部２１を表示部筐体１と対向する面に備えている。表示部筐体１と操作部筐体２はそれぞれの端部で結合部材であるヒンジ部３を介して結合され、表示部筐体１を操作部筐体２に対し回転させることで、表示部筐体１と操作部筐体２が重なった状態（閉状態）から、長手方向へ開放された状態（開状態）とすることが可能になっている。
【００１８】
図２は、ヒンジ部３を分解して示したもので、３１はヒンジ軸である。ヒンジ軸３１は、側周面に窪みが形成された円筒形の回転部３１ａと、側部に平行する二平面（片面は図示せず）を有する摺動部３１ｂ、円盤と図示しない軸棒からなる軸部３１ｃとで構成される。軸部３１ｃの軸棒は回転部３１ａと摺動部３１ｂの内部を貫通して回転部３１ａと摺動部３１ｂを結合しており、回転部３１ａは軸部３１ｃの軸棒を回転軸として摺動部３１ｂに対し回転可能となっている。また、表示部筐体１の端部には円筒部３２が形成され、円筒部３２の両端には円形の孔３２ａが空けられ、孔３２ａの内壁には突起が形成されている。
【００１９】
図３は、操作部筐体２の端部を示したものである。操作部筐体２の操作部２１を備えた面の端部の左右の角には、支持部である一対の突起部３３が形成されている。二つの突起部３３にはそれぞれ上下方向に細長く延びた孔３３ａが向かい合うようにして形成されている。孔３３ａの左右の壁面は平面状で平行に延びており、その間隔は前述したヒンジ軸３１の摺動部３１ｂの二平面の間隔とほぼ等しく、縦の長さは摺動部３１ｂの縦幅よりも長い。
【００２０】
図４に示すように、ヒンジ軸３１の回転部３１ａは円筒部３２に形成された孔３２ａに、摺動部３１ｂは突起部３３に形成された孔３３ａにそれぞれ嵌め込まれる。このとき前述した孔３２ａ内壁の突起と回転部３１ａ側周面の窪みが嵌合する。このようにして、表示部筐体１と操作部筐体２がヒンジ軸３１を介して相対的に回転可能に結合される。
【００２１】
図５は、孔３３ａにヒンジ３１が嵌め込まれた状態を示したものである。便宜上、表示部筐体１は図示していない。ヒンジ軸３１の摺動部３１ｂが孔３３ａに嵌め込まれると、摺動部３１ｂの側部の二平面が孔３３ａの左右の側壁とぴったり接して、ヒンジ軸３１が孔３３ａに挟まれた形となる。このとき、回転部３１ａが突起部３３の外に出た状態となる。前述したように、孔３３ａの上下方向の長さは、摺動部３１ｂの縦幅よりも長いため、ヒンジ軸３１を孔３３ａの内部で上下に摺動させることが可能である。
【００２２】
前述したとおり、回転部３１ａは軸部３１ｃにより摺動部３１ｂに対し回転可能となっているため、摺動部３１ｂは孔３３ａの内部で上下動以外の動作が規制されているが、回転部３１ａは表示部筐体１の動きと一体となって回転することができる。このようなヒンジ軸３１を用いることにより、通常の回転動作と上下方向の摺動動作を一つの部材で行うことが可能である。
【００２３】
図６は、操作部筐体２及び突起部３３、ヒンジ軸３１を、図５に示すＡ−Ａで切断した断面を示したもので、３１ｃは軸部、３４はコイルバネである。前述したとおり、軸部３１ｃは回転部３１ａ及び摺動部３１ｂの内部を貫通することで両者を結合しており、軸部３１ｃを回転軸とすることで回転部３１ａを摺動部３１ｂに対し回転自在としている。孔３３ａの内壁上面と摺動部３１ｂの上部との間に付勢部材であるコイルバネ３４が備え付けられている。実際には回転部３１ａに表示部筐体１が嵌め込まれ、穴３３ａは塞がれているので、コイルバネ３４の取り付けは、突起部３３の側面から孔を開けて行い、取り付け後、その孔は蓋３３ｂで塞いでいる。
【００２４】
ヒンジ軸３１はコイルバネ３４の弾性力により常に下方向に付勢された状態となっており、通常は図６（ａ）に示す通り、孔３３ａの内壁下面に接している。ヒンジ軸３１に上向きの力が加えられると、コイルバネ３４が縮められ、図６（ｂ）に示すように、ヒンジ軸３１が上へと上昇する。このとき、回転部３１ａが嵌め込まれている図示しない表示部筐体１もヒンジ軸３１の動きに合わせて上昇することになる。力がかからなくなれば、ヒンジ軸３１の位置は図６（ａ）に示す位置に戻り、表示部筐体１も下がることになる。
【００２５】
以上説明してきたような構成を具備することにより、本発明に係る折り畳み式の携帯電話機は、何もしない状態では図７（ａ）に示すように表示部筐体１と操作部筐体２が接触した状態となり、表示部筐体１と操作部筐体２を引き離すように力を加えると図７（ｂ）に示すように、表示部筐体１と操作部筐体２が平行に離間する。すなわち、表示部筐体１は操作部筐体２に対し、長手方向への回転と、操作部筐体２の表示部筐体１と対向する面と直行する方向への離間と、異なる２方向への移動が可能である。
【００２６】
こうして、図８に示すように、折り畳み式の携帯電話機を使おうとする際に、ヒンジ部３の近くであっても表示部筐体１と操作部筐体２の間に指を滑り込ませやすくなり、筐体が薄型化されていても携帯電話機を容易に開放することが可能となる。
【００２７】
更に、図９に示すように、ポケットＰに片方の筐体のみを入れて持ち運ぶ場合に、携帯電話機がポケットＰの布地の厚さに合わせて平行に離間して、表示部筐体１と操作部筐体２が布地をしっかりと挟み込むので、携帯電話機が安定して持ち運ぶときの振動でずれ落ちる心配が無い。しかも、図示しないコイルバネによって表示部筐体１と操作部筐体２とが引き付けられるように付勢されているのでポケットＰの布地をより強く挟み込むことができ、ずれ落ち防止を確実なものにできる。
【００２８】
また、この仕組みはポケットの布地よりも厚めのものに挟み込む際により効果的である。従って、カバンの口元などにもしっかりと携帯電話機を挟み込むことが可能となり、カバンの奥まったところに携帯電話機が入り込んでしまい、着信があった場合などに直ぐに探し出すことができず、取り出しや着信確認に手間取るといった問題も解決される。以上のようにして携帯電話機の利便性を向上させることができる。
【００２９】
（実施形態２）
図１０は、本発明を適用した携帯機器のもう一つの実施形態の構成として、スライド式の携帯電話機を示したもので、１は表示部筐体、２は操作部筐体である。表示部１１を備えた表示部筐体１と、操作キーなどの操作部２１を備えた操作部筐体２は、図示しないスライド機構で結合され、表示部筐体１を操作部筐体２に対し長手方向にスライドさせることで、表示部筐体１と操作部筐体２がぴったり重なった状態（閉状態）から、長手方向へずれた状態（開状態）とすることが可能になっている。
【００３０】
図１１は、本発明に係る携帯電話機に使用されるスライド機構４を示したものであり、破線は表示部筐体１及び操作部筐体２を示している。結合部材であるスライド機構４は、接離ガイド４１、スライドガイド４２、ねじりバネ４３、レール４４から概略構成されている。支持部である接離ガイド４１は矩形の底面部と、底面部の左右両端から垂直に上方向へと伸びる側面部からなり、長手方向から見た断面はコ字状をしている。両側面部には、ガイドとなる上下方向に細長い孔４１ａがそれぞれ２箇所ずつ形成されている。
【００３１】
接離ガイド４１の内側には、接離ガイド４１とほぼ同様の形状をし、接離ガイド４１よりもやや小さいスライドガイド４２が取り付けられている。スライドガイド４２の両側面部には、外側に向かって二箇所ずつ、突起４２ａが形成されており、前述した孔４１ａにそれぞれ通されている。孔４１ａを通り抜けた突起４２ａの先端には付勢部材であるねじりバネ４３がかけられ、スライドガイド４２を下方向に向かって付勢している。
【００３２】
スライドガイド４２の両側面部の内側には、樹脂製のガイド溝４２ｂがそれぞれ取り付けられている。ガイド溝４２ｂがスライドガイド４２の両側面部に取り付けられると、溝が水平に向かい合う状態となる。両ガイド溝４２ｂには板状のレール４４が通されて、レール４４は両ガイド溝４２ｂに跨る形となる。レール４４はスライドガイド４２に対し水平方向に摺動させることができるようになっている。
【００３３】
接離ガイド４１の下面を、操作部筐体２の操作部２１を有する面に固定し、レール４４の上面を表示部筐体１の裏面に固定することで表示部筐体１と操作部筐体２がスライド機構４を介して相対的にスライド可能に結合される。表示部筐体１の裏面は大きく窪んでおり、レール４４に表示部筐体１が取り付けられるとスライド機構４は表示部筐体１に覆われて外からは見えなくなる。
【００３４】
前述したように、スライドガイド４２は、側面の突起４２ａを孔４１ａに通すことで、接離ガイド４１に組み付けられているので、孔４１ａをガイドにして接離ガイド４１に対し上下方向に摺動させることが可能である。図１２に示すように、レール４４及びスライドガイド４２に上方向の力がかけられると、孔４１ａの上端に突起４２ａが引っかかるまでスライドガイド４２及びレール４４が持ち上がる。このとき、突起４２ａおよびスライドガイド４２はねじりバネ４３により下方向に付勢されているため、力がかからなくなれば図１１に示した状態に戻る。
【００３５】
以上説明してきたような構成を具備することにより、本発明に係るスライド式の携帯電話機は、図１３に示すように、表示部筐体１と操作部筐体２を引き離すように力を加えると、前述の折り畳み式のものと同様、表示部筐体１と操作部筐体２が平行に離間する。すなわち、表示部筐体１は操作部筐体２に対し、長手方向へのスライドと、表示部筐体１又は操作部筐体２の互いに対向する面と直行する方向への離間と、異なる２方向への移動が可能である。このとき、筐体と同様の素材でスライド機構４の周囲に囲いを設けておけば、離間した状態ときに突起４２ａやねじりバネ４３等が露出せず見た目がよい。
【００３６】
こうして、従来のスライド式携帯電話機ではできなかった、ポケットなどに挟み込んでの持ち運びが可能となり、カバンの奥にしまい込んで見つけられない、取り出しにくいといったことを解消できる。
【００３７】
（変形例）
なお、以上の実施形態においては、携帯電話機としたが、本発明はこれに限定されるものではなく、カメラ、ＰＤＡ、ノートＰＣ、ウェアラブルＰＣ、電卓、電子辞書等、折り畳みやスライドが可能な他の携帯機器であっても良い。また、ここでは長手方向にのみ開放する機器を例としたが、縦方向と横方向の二方向に開放可能な機器であってもよい。
【００３８】
筐体の離間、すなわち開状態への移動方向とは異なる方向への筐体の移動については、第１の筐体と第２の筐体とを重ねた閉状態のときにだけ行なえるようにしてもよい。離間の仕方についても、必ずしも平行である必要は無く、指の滑り込ませ方によって片方のヒンジのみが浮かび上がり、筐体が斜めに離間するようにしてもよい。なお、閉状態において、第１の筐体と第２の筐体は離間してもよく、必ずしも接触している必要は無い。
【００３９】
更に、筐体の何処かにプッシュボタンなどの操作部材を備えて、筐体と筐体の接触した状態と離間した状態をワンタッチで切り替え可能にすることで、筐体と筐体の離間をより容易にすることもできる。
【００４０】
そして、表示部筐体側に突起部を設ける、スライド機構を表示部筐体ではなく操作部筐体の内部に収める、コイルバネやねじりバネ以外の付勢部材を用いる等も任意であり、その他、具体的な細部構造等についても適宜に変更可能であることは勿論である。
【図面の簡単な説明】
【００４１】
【図１】本発明に係る折り畳み式携帯電話機を示す斜視図である。
【図２】表示部筐体の端部及びヒンジ軸を示す斜視図である。
【図３】操作部筐体の端部を示す斜視図である。
【図４】表示部筐体と操作部筐体を結合する仕組みを示す分解斜視図である。
【図５】ヒンジが上下方向に摺動する様子を示す斜視図である。
【図６】図５に対応する矢視断面図である。
【図７】表示部筐体と操作部筐体とが離間する様子を示す側面図である。
【図８】本発明に係る携帯電話機を開放させる様子を示す図である。
【図９】携帯電話機の持ち運び方法の例を示す図である。
【図１０】本発明に係るスライド式携帯電話機を示す斜視図である。
【図１１】スライド機構およびスライド機構の取り付け状態を示す斜視図である。
【図１２】スライド機構が上下方向に摺動する様子を示す斜視図である。
【図１３】表示部筐体と操作部筐体とが離間する様子を示す側面図である。
【符号の説明】
【００４２】
１  表示部筐体（第１の筐体）
１１  表示部
２  操作部筐体（第２の筐体）
２１  操作部
３  ヒンジ部（結合部材）
３１  ヒンジ軸
３１ａ  回転部
３１ｂ  摺動部
３１ｃ  軸部  
３２  円筒部
３２ａ  孔
３３  突起部（支持部）
３３ａ  孔
３３ｂ  蓋
３４  コイルバネ（付勢部材）
４  スライド機構（結合部材）
４１  接離ガイド（支持部）
４１ａ  孔（ガイド）
４２  スライドガイド
４２ａ  突起
４２ｂ  ガイド溝
４３  ねじりバネ（付勢部材）
４４  レール
Ｐ  ポケット
【図１】
0005105084.tif 000002
【図２】
0005105084.tif 000003
【図３】
0005105084.tif 000004
【図４】
0005105084.tif 000005
【図５】
0005105084.tif 000006
【図６】
0005105084.tif 000007
【図７】
0005105084.tif 000008
【図８】
0005105084.tif 000009
【図９】
0005105084.tif 000010
【図１０】
0005105084.tif 000011
【図１１】
0005105084.tif 000012
【図１２】
0005105084.tif 000013
【図１３】
0005105084.tif 000014